(57)【要約】【課題】パスワード信号と色空間ｓＹＣＣでＪＰＥＧ符号化されたカラーファイル情報とを受信した場合、それらの情報を可搬記録媒体にアップロードすることができる通信制御方法を提供する。【解決手段】フルカラー情報を記憶する可搬記録媒体を備える受信機から送信機に対して、ＪＰＥＧ符号化情報の受信機能の有無、色空間Ｌａｂ、ｓＹＣＣであるフルカラー情報の受信機能の有無及びパスワード信号の受信機能の有無が通知される。次に、送信機から受信機に対して、ＪＰＥＧ符号化情報の送信、色空間Ｌａｂ、ｓＹＣＣであるフルカラー情報の送信及びパスワード信号の送信が指定される。そして、受信機では、パスワード信号の送信と色空間ｓＹＣＣでのＪＰＥＧ通信が指定された場合、受信した両情報とフルカラー情報とを可搬記録媒体にアップロードする。【選択図】  図１
2004153665.tif 000002
【特許請求の範囲】
【請求項１】
フルカラー情報を通信し、受信した前記フルカラー情報を記憶する可搬記録媒体を備える受信機と送信機との間の通信制御方法において、
前記受信機から前記送信機に対して、
ＪＰＥＧ符号化情報の受信機能の有無を通知し、
色空間Ｌａｂであるフルカラー情報の受信機能の有無を通知し、
色空間ｓＹＣＣであるフルカラー情報の受信機能の有無を通知し、
パスワード信号の受信機能の有無を通知し、
前記送信機から前記受信機に対して、
ＪＰＥＧ符号化情報の送信を指定し、
色空間Ｌａｂであるフルカラー情報の送信を指定し、
色空間ｓＹＣＣであるフルカラー情報の送信を指定し、
パスワード信号の送信を指定する通信制御方法であって、
前記受信機は、パスワード信号の送信と色空間ｓＹＣＣでのＪＰＥＧ通信が指定された場合、受信したパスワード信号情報とフルカラー情報とを前記可搬記録媒体にアップロードすることを特徴とする通信制御方法。
【発明の詳細な説明】
【０００１】
【発明の属する技術分野】
本発明は、ファクシミリ装置における通信制御、特に、カラーファイル情報を受信可能なファクシミリ装置における通信制御に関する。
【０００２】
【従来の技術】
従来のファクシミリ装置は、モノクロ通信を実行するファクシミリ装置が主流であった。しかしながら、最近は、インクジェットプリンタ、デジタルカメラ及びパーソナルコンピュータ等の普及に伴い、カラー情報の取り扱いが急増してきた。このような状況で、カラー通信のニーズも急速に高まってきた。
【０００３】
ここで、現在のＩＴＵ−Ｔの勧告について説明する。カラー情報の送信はＩＴＵ−Ｔ勧告Ｔ．８２で規定されているＪＰＥＧ符号化により、ＩＴＵ−Ｔ勧告Ｔ．４２の色空間Ｌａｂでフルカラー情報の送信が実行されている。これらのカラーファクシミリ通信は、送信機及び受信機共にスタンドアローンのファクシミリ装置で実行されていた。例えば、パスワード信号が送信されてきた場合、ファクシミリ装置本体ではメモリ受信し、ユーザからのパスワード入力を検出した後、プリント（印刷）動作を実行していた。
【０００４】
従来から、送信されるカラーファクシミリ情報の色空間としてＬａｂが使用されているが、例えば、デジタルカメラで撮影したカラー情報の色空間はｓＹＣＣであってＬａｂではない。また、パーソナルコンピュータにおいてカラー情報を表示する場合の色空間もｓＹＣＣであってＬａｂではない。そこで、近年、このような状況から色空間ｓＹＣＣでのカラー通信のニーズが高まっている。
【０００５】
ここで、カラーファクシミリ通信でも、既にＩＴＵ−Ｔにて勧告化されている色空間ＬａｂでのＪＰＥＧ符号化での通信を実行すれば良いが、デジタルカメラで撮影した情報はファクシミリ装置そのものでプリントするというよりもそれ以外の用途も多いと考えられる。例えば、受信した情報をカード、ディスク等の可搬記録媒体に格納して、このカードをデジタルカメラに装着、或いは、パーソナルコンピュータに装着して撮影された情報を表示するような使用方法も考えられる。このような使用方法をするという前提に立てば、今後のファクシミリ装置には、色空間ｓＹＣＣでＪＰＥＧ符号化されたカラーファイル情報の通信を行った後に、例えば、コンパクトフラッシュ（登録商標）カードにアップロードするような処理が要求される。
【０００６】
【発明が解決しようとする課題】
しかしながら、従来のファクシミリ装置においては、カラーファイル情報を受信した時にパスワード信号の受信があれば、それらの情報をファクシミリ装置本体のメモリに記憶していたため、当該メモリ容量が足りなくなるという問題があった。そのため、例えば、デジタルカメラ等で撮影されたカラーファイル情報を受信した時にメモリ容量が足りなくなり、確実に受信することができなくなるというおそれがあった。
【０００７】
そこで、本発明は、パスワード信号と色空間ｓＹＣＣでＪＰＥＧ符号化されたカラーファイル情報とを受信した場合、それらの情報を可搬記録媒体にアップロードすることができるファクシミリ装置の通信制御方法を提供することを目的とする。
【０００８】
【課題を解決するための手段】
上記課題を解決するために、本発明は、フルカラー情報を通信し、受信した前記フルカラー情報を記憶する可搬記録媒体を備える受信機と送信機との間の通信制御方法において、前記受信機から前記送信機に対して、ＪＰＥＧ符号化情報の受信機能の有無を通知し、色空間Ｌａｂであるフルカラー情報の受信機能の有無を通知し、色空間ｓＹＣＣであるフルカラー情報の受信機能の有無を通知し、パスワード信号の受信機能の有無を通知し、前記送信機から前記受信機に対して、ＪＰＥＧ符号化情報の送信を指定し、色空間Ｌａｂであるフルカラー情報の送信を指定し、色空間ｓＹＣＣであるフルカラー情報の送信を指定し、パスワード信号の送信を指定する通信制御方法であって、前記受信機は、パスワード信号の送信と色空間ｓＹＣＣでのＪＰＥＧ通信が指定された場合、受信したパスワード信号情報とフルカラー情報とを前記可搬記録媒体にアップロードすることを特徴とする。
【０００９】
【発明の実施の形態】
以下、図面を参照して、本発明の一実施形態に係る通信制御を行うファクシミリ装置の詳細について説明する。
【００１０】
＜第１の実施形態＞
図１は、本発明の第１の実施形態に係るファクシミリ装置の構成を示すブロック図である。図１において、２６は、バスである。また、２は、ＮＣＵ（網制御装置）である。さらに、４は、電話機である。
【００１１】
ＮＣＵ２は、電話網をデータ通信等に使用するために電話網からの電話回線２ａの端末に接続し、電話交換網の接続制御を行ったり、データ通信路への切り換えを行ったり、ループの保持を行うものである。また、ＮＣＵ２は、バス２６からの制御により、電話回線２ａを電話機４側（２ｂ）に接続（ＣＭＬオフ）したり、電話回線２ａをファクシミリ装置側（２ｃ）に接続（ＣＭＬオン）するものである。尚、通常の状態では、電話回線２ａは電話機４側に接続されている。
【００１２】
１２は、加算回路であり、信号線８ａの情報と信号線１０ａの情報を入力し、加算した結果を信号線１２ａに出力する。また、６は、ハイブリッド回路であり、送信系の信号と受信系の信号とを分離し、加算回路１２からの送信信号をＮＣＵ２経由で電話回線２ａに送出するとともに、相手側からの信号をＮＣＵ２経由で受け取って信号線６ａ経由で変復調器８に送るものである。
【００１３】
８は、変復調器であって、ＩＴＵ−Ｔ勧告Ｖ．８、Ｖ．２１、Ｖ．２７ｔｅｒ、Ｖ．２９、Ｖ．１７、Ｖ．３４に基づいた変調及び復調を行うものであり、バス２６の制御により各伝送モードが指定される。変復調器８は、バス２６からの送信信号を入力して変調データを信号線８ａに出力するとともに、信号線６ａに出力されている受信信号を入力して復調データをバス２６に出力する。また、１０は、発呼回路であり、バス２６からの信号により、電話番号情報を入力して信号線１０ａにＤＴＭＦ（Ｄｉａｌ  Ｔｏｎｅ  Ｍｕｌｔｉ  Ｆｒｅｑｕｅｎｃｙ）の選択信号を出力する。
【００１４】
１４は、カラー読み取り可能な読取回路であり、読み取りデータをバス２６に出力する。また、１６は、カラー記録可能な記録回路であり、バス２６に出力されている情報を順次１ライン毎に記録する。さらに、１８は、メモリ回路であり、ワーク用のメモリ（ＲＡＭ）、読み取りデータの生情報、符号化した情報等を格納したり、受信情報や復号化した情報等をバス２６を介して格納するために使用される。
【００１５】
２０は、操作部であり、ワンタッチダイヤル、短縮ダイヤル、テンキー、「＊」キー、「＃」キー、スタートキー、ストップキー、セットキー、カラー情報の送信を選択するキー、送信する色空間を選択するキー、その他のファンクションキーがあり、押下されたキー情報はバス２６に出力される。また、操作部２０には、表示部があって、バス２６に出力されている情報を入力し、表示することができる。
【００１６】
２２は、ＣＰＵ（中央処理装置）であり、ファクシミリ全体の制御をしたり、ファクシミリ伝送制御手順を実行するが、その制御プログラムは、ＲＯＭ２４に格納される。
【００１７】
２８は、カードインタフェースである。また、３０は、例えば、カードインタフェースに接続（挿入）されるコンパクトフラッシュ（登録商標）カード等の受信情報を記憶するためのカードである。尚、カード３０の代わりにディスク等のその他の可搬記録媒体を使用するようにしてもよい。
【００１８】
図２は、本発明の第１の実施形態において用いられる新規にＩＴＵ−Ｔ勧告Ｔ．３０に追加するプロトコルを示す図である。図２に示すように、ＤＩＳ／ＤＴＣ信号のＦＩＦのビット５０により、パスワード信号の受信機能の有無を通知し、ＤＣＳ信号のＦＩＦのビット５０により、パスワード信号の送信を指定をする。
【００１９】
また、ＤＩＳ／ＤＴＣ信号のＦＩＦのビット６８により、ＪＰＥＧ受信機能の有無を通知し、ＤＣＳ信号のＦＩＦのビット６８により、ＪＰＥＧ送信を指定をする。
【００２０】
さらに、ＤＩＳ／ＤＴＣ信号のＦＩＦのビット６９により、色空間がＬａｂであるフルカラー受信機能の有無を通知し、ＤＣＳ信号のＦＩＦのビット６９により、色空間がＬａｂであるフルカラー送信を指定をする。
【００２１】
さらにまた、ＤＩＳ／ＤＴＣ信号のＦＩＦのビットＸにより、色空間がｓＹＣＣであるフルカラー受信機能の有無を通知し、ＤＣＳ信号のＦＩＦのビットＸにより、色空間がｓＹＣＣであるフルカラー送信を指定をする。
【００２２】
一方、図１において、２４は、制御プログラムを格納するためのＲＯＭである。このＲＯＭ２４には、カラーファイル情報を通信可能なファクシミリ装置おいて、受信機から送信機に対して、ＪＰＥＧ符号化情報の受信機能の有無を通知する手順、色空間がＬａｂであるフルカラー情報の受信機能の有無を通知する手順、色空間がｓＹＣＣであるフルカラー情報の受信機能の有無を通知する手順、パスワード信号の受信機能の有無を通知する手順と、送信機から受信機に対して、ＪＰＥＧ符号化情報の送信を指定する手順、色空間がＬａｂであるフルカラー情報の送信を指定する手順、色空間がｓＹＣＣであるフルカラー情報の送信を指定する手順、パスワード信号の送信を指定する手順、パスワード信号を送信する手順、色空間ｓＹＣＣでのＪＰＥＧ通信が指定されると、受信情報を本ファクシミリ装置に装着等されたカードへアップロードする制御する手順とを有し、色空間ｓＹＣＣでのＪＰＥＧ通信が指定された時に、パスワード信号情報も合わせてカードへアップロードすることを特徴とする制御プログラムが格納されている。
【００２３】
尚、この制御プログラムでは、色空間ＬａｂのＪＰＥＧカラー情報は、メモリ受信又は受信／プリントされる。また、同制御プログラムでは、モノクロ情報もメモリ受信又は受信／プリントされる。
【００２４】
また、ＲＯＭ２４に格納された上記制御プログラムによれは、パスワード信号を受信時にカードにアップロードされた色空間ｓＹＣＣのＪＰＥＧ情報は、このカード情報に対しては、パスワードの入力を検出した後、所定の処理を許可するという制御が行われる。尚、このカードを受信したファクシミリ装置以外の他の装置に接続（挿入）して、この他の装置においてパスワードを入力して、所定の処理を行うことも可能である。
【００２５】
図３〜７は、本発明の第１の実施形態に係るファクシミリ装置における通信制御の流れを説明するためのフローチャートである。
【００２６】
まず、図３に示すように、バス２６を介して、メモリ１８をイニシャライズ（初期化）する（ステップＳ２）。次に、バス２６を介して、操作部２０の表示部をクリアする（ステップＳ４）。さらに、バス２６を介して、ＮＣＵ２のＣＭＬをオフにする（ステップＳ６）。
【００２７】
次に、ファクシミリ受信が選択されたか否かが判断される（ステップＳ８）。その結果、ファクシミリ受信が選択された場合（ＹＥＳ）、ステップＳ１２に進み、ファクシミリ受信が選択されていない場合（ＮＯ）、その他の処理をする（ステップＳ１０）。
【００２８】
ステップＳ１２では、バス２６を介して、ＮＣＵ２のＣＭＬをオンにする。そして、カードインタフェース２８に例えばコンパクトフラッシュ（登録商標）カードのような記憶用のカードがセットされているか否かが判断される（ステップＳ１４）。その結果、カードがある場合（ＹＥＳ）はステップＳ３６の前手順に進み、カードがない場合（ＮＯ）はステップＳ１６の前手順に進む。
【００２９】
ステップＳ１６の前手順では、ＤＩＳ信号のＦＩＦのビット５０、６８、６９を１とし、ビットＸを０にする処理が行われる。そして、次に、ＤＣＳ信号のＦＩＦのビット６８、６９が１であるか否かが判断される（ステップＳ１８）。その結果、１であると判断された場合（ＹＥＳ）はステップＳ２０に進み、１でないと判断された場合（ＮＯ）はステップ２８に進む。
【００３０】
図４に示すように、ステップＳ２０では、ＤＣＳ信号のＦＩＦのビット５０が１であるか否かが判断される。その結果、１であると判断された場合（ＹＥＳ）、色空間ＬａｂのＪＰＥＧカラー情報をメモリ受信する（ステップＳ２４）。一方、１でないと判断された場合（ＮＯ）、色空間ＬａｂのＪＰＥＧカラー情報を受信／プリントする（ステップＳ２２）。そして、ステップＳ２２、Ｓ２４の処理の後、後手順が行われ（ステップＳ２６）、ステップＳ６に戻る。
【００３１】
また、図５に示すように、ステップＳ２８では、ＤＣＳ信号のＦＩＦのビット５０が１であるか否かが判断される。その結果、１であると判断された場合（ＹＥＳ）、モノクロ情報をメモリ受信する（ステップＳ３２）。一方、１でないと判断された場合（ＮＯ）、モノクロ情報を受信／プリントする（ステップＳ３２）。そして、ステップＳ３０、Ｓ３２の処理の後、後手順が行われ（ステップＳ３４）、ステップＳ６に戻る。
【００３２】
さらに、図６に示すように、ステップＳ３６における前手順では、ＤＩＳ信号のＦＩＦのビット５０、６８、６９、Ｘを全て１にする処理が行われる。次いで、ＤＣＳ信号のＦＩＦのビット６８、Ｘが１であるか否かが判断される（ステップＳ３６）。その結果、共に１であると判断された場合（ＹＥＳ）はステップＳ４０に進み、どちらか一方でも１でない場合（ＮＯ）は前述したステップＳ１８に戻る。
【００３３】
ステップＳ４０では、ＤＣＳ信号のＦＩＦのビット５０が１であるか否かが判断される。その結果、１であると判断された場合（ＹＥＳ）は、色空間ｓＹＣＣのＪＰＥＧカラーファイル情報、及び、受信したパスワードを例えばコンパクトフラッシュ（登録商標）カード等のカード３０にアップロードする（ステップＳ４４）。一方、１でないと判断された場合（ＮＯ）は、色空間ｓＹＣＣのＪＰＥＧカラーファイル情報をカード３０にアップロードする（ステップＳ４２）。そして、ステップＳ４２、Ｓ４４の処理の後、後手順が行われ（ステップＳ４６）、ステップＳ６に戻る。
【００３４】
また、図３のステップＳ１０におけるその他の処理の後、図７に示す処理を行うようにしてもよい。すなわち、パスワード信号を受信し、ファクシミリ本体のメモリに受信したファイル情報があるか否かを判断する（ステップＳ４８）。その結果、ファイル情報がなければ（ＮＯ）ステップＳ６に戻り、ファイル情報があれば（ＹＥＳ）、操作部２０の表示部に「パスワード信号を受信し、ファクシミリ本体のメモリへのメモリ受信あり」という旨の文字等を表示する（ステップＳ５０）。尚、この表示は何らかのキー操作で消すことができるものとする。
【００３５】
次に、受信したパスワード信号の入力があるか否かが判断される（ステップＳ５２）。この結果、入力があると判断された場合（ＹＥＳ）は、パスワード信号を受信し、ファクシミリ本体のメモリへのメモリ受信した情報をプリントし（ステップＳ５４）、ステップＳ６に戻る。一方、入力がないと判断された場合（ＮＯ）はそのままステップＳ６に戻る。
【００３６】
図８は、ファクシミリ装置本体においてカード３０にカラーファイル情報をアップロードした後、この情報をアップロードしたカード３０を装着したパーソナルコンピュータ或いはデジタルカメラ側における情報制御の流れを説明するためのフローチャートである。この処理のポイントは、コンパクトフラッシュ（登録商標）カードに代表されるカード３０にパスワードが記憶されている場合は、このパスワードの入力後にカラーファイル情報の処理が許可されることである。
【００３７】
図８に示すように、まず、カード３０に格納されたファイル情報の処理が選択されたか否かが判断される（ステップＳ６２）。その結果、選択されたと判断された場合（ＹＥＳ）はステップＳ６６に進み、選択されたと判断されなかった場合（ＮＯ）は、その他の処理をして（ステップＳ６４）、ステップＳ６２に戻る。
【００３８】
そして、ステップＳ６６では、カード３０に格納されているファイル情報にパスワードが記憶されているか否かを判断する。その結果、記憶されていると判断された場合（ＹＥＳ）はステップＳ６８に進み、記憶されていないと判断された場合（ＮＯ）はステップＳ７０に進む。
【００３９】
ステップＳ６８では、パスワード信号の入力があったか否かが判断される。そして、入力があったと判断された場合（ＹＥＳ）、指定されたカラーファイル情報の処理が実行され（ステップＳ７０）、ステップＳ６２に戻る。一方、パスワード信号の入力がないと判断された場合（ＮＯ）もステップＳ６２に戻る。
【００４０】
本実施形態に係る通信制御を行うファクシミリ装置によれば、パスワード信号の送信があった時に、色空間ｓＹＣＣでＪＰＥＧ符号化されたカラーファイル情報を受信した場合、この情報をすぐにカード３０へアップロードでき、デジタルカメラで撮影したカラーファイル情報を確実に受信することが可能となる。また、パスワード情報も含めてカード３０に記憶するので、パスワードを知らないユーザには当該カラーファイル情報の閲覧を禁止して確実な機密性を維持することができる。
【００４１】
＜第２の実施形態＞
上述した第１の実施形態のファクシミリ装置に対して、さらに、パスワード信号を受信した色空間ｓＹＣＣでのＪＰＥＧ通信が指定され、パスワード信号情報も併せてカード３０へアップロードした時、その旨を表示して、パスワードが装置本体から入力されるとカード３０に記憶したパスワード情報を消去する。そして、このカード情報を他の装置に装着等した時は、パスワードを入力することなく所定の処理を許可するようにしてもよい。
【００４２】
図９は、本発明の第２の実施形態に係るファクシミリ装置における通信制御の流れにおいて第１の実施形態と異なる部分の流れを説明するためのフローチャートである。図９において、ステップＳ８０は、図７に示すステップＳ４８のＮＯの場合、すなわち、パスワード信号を受信しファクシミリ装置本体のメモリ１８にメモリ受信した情報が記憶されていない場合を示す。
【００４３】
この場合、パスワード信号を受信しカード３０に格納されたファイル情報があるか否かが判断される（ステップＳ８２）。その結果、ファイル情報があると判断された場合（ＹＥＳ）はステップＳ８６に進み、ファイル情報がないと判断された場合（ＮＯ）はステップＳ８４に進む。尚、ステップＳ８４は図３におけるステップＳ６と同じ処理である。ステップＳ８６では、操作部２０の表示部に「パスワード信号を受信し、カードへのメモリ受信有り」という旨を表示する。尚、この表示は何らかのキー操作で消すことができるものとする。
【００４４】
次に、受信したパスワード信号の入力があるか否かが判断される（ステップＳ８８）。この結果、入力があると判断された場合（ＹＥＳ）は、カード３０にメモリ受信しているファイル情報のパスワードを消去し（ステップＳ９０）、ステップＳ９２に進む。一方、入力がないと判断された場合（ＮＯ）はそのままステップＳ９２に進む。尚、ステップＳ９２の処理は、図３におけるステップＳ６と同じ処理である。
【００４５】
本実施形態に係る通信制御を行うファクシミリ装置によれば、第１の実施形態における効果に加え、さらに、パスワード情報も含めてカード３０に記憶した旨を表示して、ユーザがパスワードを入力することによって、カード３０に記憶したパスワードを無効にすることができる。これによって、カード３０に記憶されているカラーファイル情報をだれでも自由に使用することができ、カード３０を装着するデジタルカメラやパーソナルコンピュータに特別な仕組みが不要となる。
【００４６】
＜第３の実施形態＞
上述した第１及び第２の実施形態において、さらに、パスワード信号を受信した色空間ｓＹＣＣでのＪＰＥＧ通信が指定され、パスワード信号情報も併せてカード３０へアップロードした時、それ以降の制御を第１の実施形態による制御とするか、第２の実施形態による制御とするかを選択することができるように選択手段を備えるようにしてもよい。
【００４７】
図１０は、本発明の第３の実施形態に係るファクシミリ装置における通信制御の流れにおいて第１の実施形態と異なる部分の流れを説明するためのフローチャートである。図１０において、ステップＳ１００は、図７に示すステップＳ４８のＮＯの場合、すなわち、パスワード信号を受信しファクシミリ装置本体のメモリ１８にメモリ受信した情報が記憶されていない場合を示す。
【００４８】
この場合、本実施形態ではカード３０に記憶されているパスワードを消去するモードが選択されているか否かが判断される（ステップＳ１０２）。その結果、選択されていると判断された場合（ＹＥＳ）はステップＳ１０６に進み、選択されていないと判断された場合（ＮＯ）はステップＳ１０４に進む。尚、ステップＳ１０４の処理は、図３におけるステップＳ６と同じ処理である。また、ステップＳ１０６の処理は、図９におけるステップＳ８２と同じ処理である。
【００４９】
本実施形態による通信制御を行うファクシミリ装置によれば、カード３０に格納したカラーファイル情報のその後の処理をユーザの希望に従い、例えば第１の実施形態のように処理するか、第２の実施形態のように処理するかを選択することができる。
【００５０】
＜その他の実施形態＞
尚、本発明は、複数の機器（例えば、ホストコンピュータ、インタフェース機器、リーダ、プリンタ等）から構成されるシステムに適用しても、一つの機器からなる装置（例えば、複写機、ファクシミリ装置等）に適用してもよい。
【００５１】
また、本発明の目的は、前述した実施形態の機能を実現するソフトウェアのプログラムコードを記録した記録媒体（または記憶媒体）を、システムあるいは装置に供給し、そのシステムあるいは装置のコンピュータ（またはＣＰＵやＭＰＵ）が記録媒体に格納されたプログラムコードを読み出し実行することによっても、達成されることは言うまでもない。この場合、記録媒体から読み出されたプログラムコード自体が前述した実施形態の機能を実現することになり、そのプログラムコードを記録した記録媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【００５２】
さらに、記録媒体から読み出されたプログラムコードが、コンピュータに挿入された機能拡張カードやコンピュータに接続された機能拡張ユニットに備わるメモリに書き込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【００５３】
本発明を上記記録媒体に適用する場合、その記録媒体には、先に説明したフローチャートに対応するプログラムコードが格納されることになる。
【００５４】
本発明の実施態様の例を以下に列挙する。
【００５５】
【実施態様１】フルカラー情報を通信し、受信した前記フルカラー情報を記憶する可搬記録媒体を備える受信機と送信機との間の通信制御方法において、
前記受信機から前記送信機に対して、
ＪＰＥＧ符号化情報の受信機能の有無を通知し、
色空間Ｌａｂであるフルカラー情報の受信機能の有無を通知し、
色空間ｓＹＣＣであるフルカラー情報の受信機能の有無を通知し、
パスワード信号の受信機能の有無を通知し、
前記送信機から前記受信機に対して、
ＪＰＥＧ符号化情報の送信を指定し、
色空間Ｌａｂであるフルカラー情報の送信を指定し、
色空間ｓＹＣＣであるフルカラー情報の送信を指定し、
パスワード信号の送信を指定する通信制御方法であって、
前記受信機は、パスワード信号の送信と色空間ｓＹＣＣでのＪＰＥＧ通信が指定された場合、受信したパスワード信号情報とフルカラー情報とを前記可搬記録媒体にアップロードすることを特徴とする通信制御方法。
【００５６】
【実施態様２】前記可搬記録媒体にアップロードされた色空間ｓＹＣＣのＪＰＥＧ情報に対して、該可搬記録媒体が接続された装置に所定のパスワードが入力された場合に、所定の処理の実行が許可されることを特徴とする実施態様１記載の通信制御方法。
【００５７】
【実施態様３】前記受信機は、色空間ｓＹＣＣでのＪＰＥＧ情報とパスワード信号情報とが併せて前記可搬記録媒体にアップロードされた場合、その旨を表示し、
所定のパスワードが入力された場合に該可搬記録媒体に記録されたパスワード情報を消去して、該可搬記録媒体に接続する装置における以降の処理において、前記パスワードの入力なしに、前記可搬記録媒体にアップロードされた色空間ｓＹＣＣのＪＰＥＧ情報に対して所定の処理の実行が許可されることを特徴とする実施態様１記載の通信制御方法。
【００５８】
【実施態様４】実施態様２記載の通信制御方法又は実施態様３記載の通信制御方法の実行を選択することを特徴とする実施態様１記載の通信制御方法。
【００５９】
【実施態様５】フルカラー情報を通信し、受信した前記フルカラー情報を記憶する可搬記録媒体を備える受信機と送信機との間の通信制御方法において、
前記受信機から前記送信機に対して、
ＪＰＥＧ符号化情報の受信機能の有無を通知し、
色空間Ｌａｂであるフルカラー情報の受信機能の有無を通知し、
色空間ｓＹＣＣであるフルカラー情報の受信機能の有無を通知し、
パスワード信号の受信機能の有無を通知し、
前記送信機から前記受信機に対して、
ＪＰＥＧ符号化情報の送信を指定し、
色空間Ｌａｂであるフルカラー情報の送信を指定し、
色空間ｓＹＣＣであるフルカラー情報の送信を指定し、
パスワード信号の送信を指定する通信制御方法であって、
前記受信機は、色空間ｓＹＣＣでのＪＰＥＧ通信が指定された場合、受信したフルカラー情報を前記可搬記録媒体にアップロードすることを特徴とする通信制御方法。
【００６０】
【実施態様６】フルカラー情報を通信し、受信した前記フルカラー情報を記憶する可搬記録媒体を備える受信機と送信機とを備える通信制御システムにおいて、
前記受信機が、前記送信機に対して、
ＪＰＥＧ符号化情報の受信機能の有無を通知する手段と、
色空間Ｌａｂであるフルカラー情報の受信機能の有無を通知する手段と、
色空間ｓＹＣＣであるフルカラー情報の受信機能の有無を通知する手段と、
パスワード信号の受信機能の有無を通知する手段とを備え、
前記送信機が、前記受信機に対して、
ＪＰＥＧ符号化情報の送信を指定する手段と、
色空間Ｌａｂであるフルカラー情報の送信を指定する手段と、
色空間ｓＹＣＣであるフルカラー情報の送信を指定する手段と、
パスワード信号の送信を指定する手段とを備え、
前記受信機は、パスワード信号の送信と色空間ｓＹＣＣでのＪＰＥＧ通信が指定された場合、受信したパスワード信号情報とフルカラー情報とを前記可搬記録媒体にアップロードすることを特徴とする通信制御システム。
【００６１】
【実施態様７】前記可搬記録媒体にアップロードされた色空間ｓＹＣＣのＪＰＥＧ情報に対して、該可搬記録媒体が接続された装置に所定のパスワードが入力された場合に、所定の処理の実行が許可されることを特徴とする実施態様６記載の通信制御システム。
【００６２】
【実施態様８】前記受信機は、色空間ｓＹＣＣでのＪＰＥＧ情報とパスワード信号情報とが併せて前記可搬記録媒体にアップロードされた場合、その旨を表示する手段をさらに備え、
所定のパスワードが入力された場合に該可搬記録媒体に記録されたパスワード情報を消去して、該可搬記録媒体に接続する装置における以降の処理において、前記パスワードの入力なしに、前記可搬記録媒体にアップロードされた色空間ｓＹＣＣのＪＰＥＧ情報に対して所定の処理の実行が許可されることを特徴とする実施態様６記載の通信制御システム。
【００６３】
【実施態様９】実施態様７記載の通信制御又は実施態様８記載の通信制御の実行を選択する手段をさらに備えることを特徴とする実施態様６記載の通信制御システム。
【００６４】
【実施態様１０】フルカラー情報を通信し、受信した前記フルカラー情報を記憶する可搬記録媒体を備える受信機と送信機とを備える通信制御システムにおいて、
前記受信機が、前記送信機に対して、
ＪＰＥＧ符号化情報の受信機能の有無を通知する手段と、
色空間Ｌａｂであるフルカラー情報の受信機能の有無を通知する手段と、
色空間ｓＹＣＣであるフルカラー情報の受信機能の有無を通知する手段と、
パスワード信号の受信機能の有無を通知する手段とを備え、
前記送信機が、前記受信機に対して、
ＪＰＥＧ符号化情報の送信を指定する手段と、
色空間Ｌａｂであるフルカラー情報の送信を指定する手段と、
色空間ｓＹＣＣであるフルカラー情報の送信を指定する手段と、
パスワード信号の送信を指定する手段とを備え、
前記受信機は、色空間ｓＹＣＣでのＪＰＥＧ通信が指定された場合、受信したフルカラー情報を前記可搬記録媒体にアップロードすることを特徴とする通信制御システム。
【００６５】
【発明の効果】
以上説明したように、本発明によれば、パスワード信号と色空間ｓＹＣＣでＪＰＥＧ符号化されたカラーファイル情報とを受信した場合、それらの情報を可搬記録媒体にアップロードすることができる。
【図面の簡単な説明】
【図１】本発明の第１の実施形態に係るファクシミリ装置の構成を示すブロック図である。
【図２】本発明の第１の実施形態において用いられる新規にＩＴＵ−Ｔ勧告Ｔ．３０に追加するプロトコルを示す図である。
【図３】本発明の第１の実施形態に係るファクシミリ装置における通信制御の流れを説明するためのフローチャートである。
【図４】本発明の第１の実施形態に係るファクシミリ装置における通信制御の流れを説明するためのフローチャートである。
【図５】本発明の第１の実施形態に係るファクシミリ装置における通信制御の流れを説明するためのフローチャートである。
【図６】本発明の第１の実施形態に係るファクシミリ装置における通信制御の流れを説明するためのフローチャートである。
【図７】本発明の第１の実施形態に係るファクシミリ装置における通信制御の流れを説明するためのフローチャートである。
【図８】ファクシミリ装置本体においてカード３０にカラーファイル情報をアップロードした後、この情報をアップロードしたカード３０を装着したパーソナルコンピュータ或いはデジタルカメラ側における情報制御の流れを説明するためのフローチャートである。
【図９】本発明の第２の実施形態に係るファクシミリ装置における通信制御の流れにおいて第１の実施形態と異なる部分の流れを説明するためのフローチャートである。
【図１０】本発明の第３の実施形態に係るファクシミリ装置における通信制御の流れにおいて第１の実施形態と異なる部分の流れを説明するためのフローチャートである。
【符号の説明】
２  ＮＣＵ
４  電話機
６  ハイブリッド回路
８  変復調器
１０  発呼回路
１２  加算回路
１４  読み取り回路
１６  記録回路
１８  メモリ回路
２０  操作部
２２  ＣＰＵ
２４  ＲＯＭ
２６  バス
２８  カードインタフェース
３０  カード
【図１】
2004153665.tif 000003
【図２】
2004153665.tif 000004
【図３】
2004153665.tif 000005
【図４】
2004153665.tif 000006
【図５】
2004153665.tif 000007
【図６】
2004153665.tif 000008
【図７】
2004153665.tif 000009
【図８】
2004153665.tif 000010
【図９】
2004153665.tif 000011
【図１０】
2004153665.tif 000012